【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
マルチスペクトルセンサ装置であって、
複数のチャンネルを備えるセンサアレイと、
１つ以上のプロセッサであって、
時間依存的測定を行うべきと決定するステップであって、
前記時間依存的測定は前記複数のチャンネルのうちの１つ以上のチャンネルによって収集されたデータを用いて行われるべきとされ、
前記時間依存的測定は閾値フレームレートに関連付けられ、
時間依存的ではない測定は前記閾値フレームレートに関連付けられない、ステップと、
前記複数のチャンネルのうちのチャンネルについての適切な部分集合によって、前記時間依存的測定の時間依存性に基づいて前記データを収集させるステップであって、前記チャンネルについての適切な部分集合は前記１つ以上のチャンネルを含む、ステップと、
前記データに基づいて前記時間依存的測定を決定するステップとを行う、プロセッサとを備える、マルチスペクトルセンサ装置。
【請求項２】
請求項１に記載のマルチスペクトルセンサ装置において、前記チャンネルについての適切な部分集合は前記１つ以上のチャンネルのみを含む、マルチスペクトルセンサ装置。
【請求項３】
請求項１に記載のマルチスペクトルセンサ装置において、前記チャンネルについての適切な部分集合はセンサを１行以上含み、前記１つ以上の行は前記１つ以上のチャンネルを含む、マルチスペクトルセンサ装置。
【請求項４】
請求項３に記載のマルチスペクトルセンサ装置において、前記１つ以上のプロセッサは、
前記１つ以上のチャンネルによって収集された前記データ以外のデータを破棄するステップを行う、マルチスペクトルセンサ装置。
【請求項５】
請求項１に記載のマルチスペクトルセンサ装置において、前記時間依存的測定は第１の測定であり、前記データは第１のデータであり、
前記１つ以上のプロセッサは、
第２の測定を行うべきと決定するステップであって、
前記第２の測定は前記第１の測定よりも厳格性が減じられている時間依存性と関連付けられ、
前記第２の測定は時間依存的ではない測定である、ステップと、
前記複数のチャンネルの全てのチャンネルによって第２のデータを収集させるステップと、
前記第２のデータの少なくとも一部を用いて前記第２の測定を行うステップとを行う、マルチスペクトルセンサ装置。
【請求項６】
請求項１に記載のマルチスペクトルセンサ装置において、
前記時間依存的測定は、第１の測定であり、
前記時間依存的ではない測定は、第２の測定であり、
前記１つ以上のプロセッサは、前記第１の測定及び前記第２の測定を複数回反復するステップを行い、
前記第１の測定は前記第２の測定よりも頻繁に行われる、マルチスペクトルセンサ装置。
【請求項７】
請求項１に記載のマルチスペクトルセンサ装置において、前記センサアレイは電荷結合素子（ＣＣＤ）又は相補型金属酸化膜半導体（ＣＭＯＳ）装置の少なくとも１つを含む、マルチスペクトルセンサ装置。
【請求項８】
請求項１に記載のマルチスペクトルセンサ装置において、前記時間依存的測定は第１の測定であり、前記データは第１のデータであり、
前記１つ以上のプロセッサは、
第２の測定を行うべきと決定するステップであって、
前記第２の測定は前記第１の測定よりも厳格な時間依存性と関連付けられている、ステップと、
前記複数のチャンネルについてのチャンネル集合であって前記チャンネルについての適切な部分集合よりも少ないチャンネル数を含むチャンネル集合によって、第２のデータを収集させるステップと、
前記第２のデータの少なくとも一部を用いて前記第２の測定を行うステップとを行う、マルチスペクトルセンサ装置。
【請求項９】
マルチスペクトルセンサ装置によって、測定を行うべきと決定するステップであって、
前記測定は前記マルチスペクトルセンサ装置の複数のチャンネルのうちの１つ以上のチャンネルによって収集されたデータを用いて行われるべきとされ、
前記測定は時間依存性と関連付けられている、ステップと、
前記マルチスペクトルセンサ装置によって、前記複数のチャンネルのうちのチャンネルについての適切な部分集合によって、前記測定の時間依存性に基づいて前記データを収集させるステップであって、
前記チャンネルについての適切な部分集合は前記１つ以上のチャンネルを含み、
前記測定が閾値フレームレートに関連付けられる場合に前記時間依存性は前記測定が時間依存的測定であることを示し、
前記測定が前記閾値フレームレートに関連付けられない場合に前記時間依存性は前記測定が時間依存的ではない測定であることを示す、ステップと、
前記マルチスペクトルセンサ装置によって、前記データに基づいて前記測定を決定するステップとを含む、方法。
【請求項１０】
請求項９に記載の方法において、前記マルチスペクトルセンサ装置は相補型金属酸化膜半導体（ＣＭＯＳ）装置を含み、
前記データを収集させるステップは、前記１つ以上のチャンネルのみによって前記データが収集されるようにするために垂直及び水平ウィンドウィングを行うことをさらに含む、方法。
【請求項１１】
請求項９に記載の方法において、前記マルチスペクトルセンサ装置は電荷結合素子（ＣＣＤ）を含み、
前記データを収集させるステップは、１つ以上の連続的な垂直シフトを読み出しレジスタに行うステップと、
収集されるべき前記データ以外のデータを破棄するステップとをさらに含む、方法。
【請求項１２】
請求項９に記載の方法において、前記複数のチャンネルの１つ以上の行からの特定のデータは前記１つ以上のチャンネルと関連付けられておらず、
前記測定を決定するに際して前記特定のデータはドロップされる、方法。
【請求項１３】
請求項９に記載の方法において、前記測定は第１の測定であり、前記データは第１のデータであり、
該方法は、
第２の測定を行うべきと決定するステップであって、
前記第２の測定は前記第１の測定よりも厳格性が減じられている時間依存性と関連付けられている、ステップと、
前記複数のチャンネルの全てのチャンネルによって第２のデータを収集させるステップと、
前記第２のデータの少なくとも一部を用いて前記第２の測定を行うステップとをさらに含む、方法。
【請求項１４】
請求項１３に記載の方法において、前記第１の測定は前記第２の測定よりも少ないレイテンシを伴って決定される、方法。
【請求項１５】
請求項１３に記載の方法において、前記第１の測定及び前記第２の測定について複数回の反復を行い、
前記第１の測定は前記第２の測定よりも頻繁に行われる、方法。
【請求項１６】
命令が格納された非一時的コンピュータ可読媒体であって、該命令は、
マルチスペクトルセンサ装置の１つ以上のプロセッサによって実行される場合に、前記１つ以上のプロセッサに、
第１の測定及び第２の測定を行うべきと決定するステップであって、
前記第１の測定は、前記マルチスペクトルセンサ装置の複数のチャンネルのうちの１つ以上の第１チャンネル群によって収集された第１のデータを用いて行われるべきとされ、
前記第２の測定は、前記複数のチャンネルのうちの１つ以上の第２チャンネル群によって収集された第２のデータを用いて行われるべきとされ、
前記第１の測定は、前記第２の測定よりも高度な時間依存性に関連付けられている、ステップと、
前記複数のチャンネルのうちのチャンネルについての適切な部分集合によって、前記第１の測定の時間依存性に基づいて前記第１のデータを収集させるステップであって、
前記チャンネルについての適切な部分集合は前記１つ以上の第１チャンネル群を含む、ステップと、
前記第２のデータを収集させるステップであって、
前記マルチスペクトルセンサ装置は、前記複数のチャンネルの全てのチャンネルをアクティベートして前記第２のデータを収集させるように構成されている、ステップと、
前記第１のデータに基づいて前記第１の測定を決定するステップと、
前記第２のデータに基づいて前記第２の測定を決定するステップであって、
前記第１の測定は閾値フレームレートに関連付けられる時間依存的測定であり、
前記第２の測定は前記閾値フレームレートに関連付けられない時間依存的ではない測定である、ステップとを行わせる１つ以上の命令を含む、非一時的コンピュータ可読媒体。
【請求項１７】
請求項１６に記載の非一時的コンピュータ可読媒体において、前記１つ以上の命令が前記１つ以上のプロセッサによって実行されると、
前記第１の測定及び前記第２の測定について複数回の反復を行うステップであって、
前記第１の測定は前記第２の測定よりも頻繁に行われる、ステップを、前記１つ以上のプロセッサにさらに行わせる、非一時的コンピュータ可読媒体。
【請求項１８】
請求項１６に記載の非一時的コンピュータ可読媒体において、前記第１の測定は前記第２の測定よりも少ないレイテンシを伴って決定される、非一時的コンピュータ可読媒体。
【請求項１９】
請求項１６に記載の非一時的コンピュータ可読媒体において、前記マルチスペクトルセンサ装置は電荷結合素子（ＣＣＤ）又は相補型金属酸化膜半導体（ＣＭＯＳ）装置を含む、非一時的コンピュータ可読媒体。
【請求項２０】
請求項１６に記載の非一時的コンピュータ可読媒体において、
前記時間依存的測定は閾値データレートに関連付けられ、
前記時間依存的ではない測定は前記閾値データレートに関連付けられない、非一時的コンピュータ可読媒体。